(57)【要約】【課題】化粧品材が収容された容器に作用する衝撃を確実に吸収することができると共に、衝撃吸収材を外部に直接あらわさないようにしたうえ、衝撃吸収材を繰り返し利用することを可能にする化粧品用容器の提供を目的としている。【解決手段】化粧品材２２が収容された内側容器２０と、内側容器２０を保持する外側容器３０と、内側容器２０と外側容器３０との間に形成された間隙部５０に配設され、外側容器３０に作用した衝撃から内側容器２０を保護するための粘着性を有する衝撃吸収ゲル材４０と、を具備し、粘着性を有する衝撃吸収ゲル材４０は、内側容器２０および外側容器３０と接着・引き剥がし自在であることを特徴とする。【選択図】図２
2008013248.tif 000002
【特許請求の範囲】
【請求項１】
化粧品材が収容された内側容器と、
該内側容器を保持する外側容器と、
前記内側容器と前記外側容器との間に形成された間隙部に配設され、前記外側容器に作用した衝撃から前記内側容器を保護するための粘着性を有する衝撃吸収ゲル材と、を具備し、
前記粘着性を有する衝撃吸収ゲル材は、前記内側容器および前記外側容器と接着・引き剥がし自在であることを特徴とする化粧品用容器。
【請求項２】
前記粘着性を有する衝撃吸収ゲル材は、底面における厚さ寸法が前記間隙部分の高さ寸法より大きく形成されていることを特徴とする請求項１記載の化粧品用容器。
【請求項３】
前記内側容器と前記外側容器と前記衝撃吸収ゲル材は、それぞれ透明材料により形成されていることを特徴とする請求項１または２記載の化粧品用容器。
【請求項４】
前記化粧品材は粉粒体を固化させたものであることを特徴とする請求項１〜３のうちのいずれか一項記載の化粧品用容器。
【請求項５】
前記外側容器には両面鏡が取り付けられていることを特徴とする請求項１〜４のうちのいずれか一項記載の化粧品容器。
【発明の詳細な説明】
【技術分野】
【０００１】
本発明は、化粧品用容器に関し、より詳細には、容器に作用する衝撃を吸収し、衝撃から化粧品材を保護することが可能で、繰り返し使用することができる化粧品用容器に関する。
【背景技術】
【０００２】
口紅やファンデーションなどに代表される化粧品材は、エンドユーザにおける使用上の便宜を考慮して機械的強度を低くした状態で流通されている。また、近年においては、化粧品材に外力を作用させることにより状態変化を生じさせるものも販売されている。
化粧品メーカーから小売店までの間においては、衝撃緩衝材が配設された包装箱に収容されると共に、包装箱の回りにも緩衝材が配設された状態で流通しているため、化粧品メーカーから小売店までを流通する間に外部から衝撃が作用したとしても、化粧品材に衝撃が作用してしまうことはない。しかしながらエンドユーザにおいては、化粧品材を使用している最中に化粧品容器が手から滑り落ちてしまう等、化粧品材に衝撃が作用して、化粧品材が破損してしまうことがある。このように破損してしまった化粧品材は、最後まで使い切ることができず不経済であった。
そこで、特許文献１にあるように、化粧品材が収容された化粧品用容器の外部に衝撃吸収材を配設した衝撃吸収容器が提案されている。
【特許文献１】特開２０００−１９０９８０号公報
【発明の開示】
【発明が解決しようとする課題】
【０００３】
ところが、特許文献１の衝撃吸収容器は、化粧品容器の外側部分に衝撃吸収材が配設されていない部分があり、化粧品容器の落下位置の状態によっては化粧品容器に衝撃が作用してしまうおそれがあるという課題がある。また、化粧品容器の外側部分に衝撃吸収材があらわになっていることから、化粧品材を使い切る前に衝撃吸収材が劣化し、化粧品容器に衝撃が作用した際に化粧品が破損してしまうおそれがあるといった課題もある。さらに、衝撃吸収材の劣化が早いと、衝撃吸収材を他の化粧品用容器に流用することができないため不経済でもある。
【０００４】
本発明は、化粧品材が収容された容器に作用する衝撃を確実に吸収することができると共に、衝撃吸収材を外部に直接あらわさないようにしたうえ、衝撃吸収材を繰り返し利用することを可能にする化粧品用容器の提供を目的としている。
【課題を解決するための手段】
【０００５】
本発明は、化粧品材が収容された内側容器と、該内側容器を保持する外側容器と、前記内側容器と前記外側容器との間に形成された間隙部に配設され、前記外側容器に作用した衝撃から前記内側容器を保護するための粘着性を有する衝撃吸収ゲル材と、を具備し、前記粘着性を有する衝撃吸収ゲル材は、前記内側容器および前記外側容器と接着・引き剥がし自在であることを特徴とする化粧品用容器である。
【０００６】
また、前記粘着性を有する衝撃吸収ゲル材は、底面における厚さ寸法が前記間隙部分の高さ寸法より大きく形成されていることを特徴とする。
これにより、衝撃吸収ゲル材を他の化粧品に容易に流用することができるため、経済的である。
【０００７】
また、前記内側容器と前記外側容器と前記衝撃吸収ゲル材は、それぞれ透明材料により形成されていることを特徴とする。
これにより、スケルトンタイプの化粧品用容器を提供することができるため、化粧品用容器の蓋を開けなくても、収容されている化粧品材の色や状態を確認することができる。
また、前記化粧品材は粉粒体を固化させたものであることを特徴とする。
【０００８】
また、前記外側容器には両面鏡が取り付けられていることを特徴とする。
これにより、化粧品容器の外側容器を開かなくても、化粧品容器の鏡を使用することができるため、化粧の確認等が容易かつ迅速に行うことができる。
【発明の効果】
【０００９】
本発明に係る化粧品用容器によれば、化粧品材が収容された内側容器への衝撃の印加が確実に防止され、化粧品材が破損してしまうことを好適に防止することができる。これにより、化粧品材を最後まで使用することができるため経済的である。
また、衝撃吸収ゲル材が外部にあらわになっていないので、衝撃吸収ゲル材の劣化が抑えられ衝撃吸収ゲル材を長期にわたって好適な状態を維持した状態で使用することができるため経済的である。
【発明を実施するための最良の形態】
【００１０】
（第１実施形態）
以下、添付図面に基づいて本発明の実施の形態を説明する。図１は、本実施の形態における化粧品用容器の一例を示す説明図である。図２は、図１中のＡ−Ａ線における断面図である。
【００１１】
本実施の形態における化粧品用容器１０は、内側容器２０と外側容器３０と衝撃吸収ゲル材４０により構成されている。内側容器２０には、ファンデーション等の粉粒体を固化させた化粧品材２２が収容されている。
内側容器２０の外側表面と外側容器３０の内側表面は、図２に示すように、断面形状が共に逆台形状に形成されていて、互いに嵌合可能に形成されている。すなわち、内側容器２０は外側容器３０に嵌合した状態で保持されている。
【００１２】
衝撃吸収ゲル材４０は、内側容器２０の外側底面と外側容器３０の内側底面の間に形成される間隙部分５０に配設されている。衝撃吸収ゲル材４０は、粘着性を有する材料により形成されている。具体的には、粘着性オレフィン系ゲルを用いるのが好適である。
衝撃吸収ゲル材４０の変形前の厚さ寸法は、間隙部分５０の高さ寸法Ｔよりも大きくなるように形成されている。
【００１３】
次に、本実施の形態にかかる化粧品容器１０の組み立て方法について説明する。
まず、外側容器３０を準備し、外側容器３０の内側底面に衝撃吸収ゲル材４０を貼り付ける。本実施の形態における衝撃吸収ゲル材４０は、外側容器３０の内側底面において、少なくとも一対の対向縁部分３２に取り外しシロ３３が生じるように貼着している。前述にあるように、衝撃吸収ゲル材４０は粘着性を有しているので、外側容器３０への衝撃吸収ゲル材４０の取り付けには、接着剤等の接着手段を用いる必要がない。
【００１４】
外側容器３０への衝撃吸収ゲル材４０の貼付が完了した後、内側容器２０を外側容器３０に組み込む。内側容器２０もまた、衝撃吸収ゲル材４０の粘着力により確実に衝撃吸収ゲル材４０と貼着する。本実施の形態においては、外側容器３０に衝撃吸収ゲル材４０をセットしない状態で内側容器２０をセットした場合に生じる間隙部分５０の高さ寸法Ｔに対して、変形前の衝撃吸収ゲル材４０の厚さ寸法が大きく形成されているものの、衝撃吸収ゲル材４０の変形能が高いので、特段意識することなく内側容器２０を外側容器３０に装着することができる。また、外側容器３０への内側容器２０の収まりも良好である。
【００１５】
このようにして、衝撃吸収ゲル材４０が組み込まれた化粧品容器１０を組み立てることができる。本実施の形態における化粧品容器１０は、内側容器２０と外側容器３０により衝撃吸収ゲル材４０がサンドイッチされた構造になっているが、外観上においては通常の化粧品容器１０と何ら変わるところがない。これにより化粧品容器１０の美観を犠牲にすることなく、化粧品材２２への衝撃を吸収することができるため好都合である。
【００１６】
化粧品材２２を使用した後は、内側容器２０を外側容器３０から取り外し、新しい内側容器２０を装着すれば、内側容器２０の取替え前と同様にして使用することができる。衝撃吸収ゲル材４０は粘着性を有しているので接着剤を用いておらず、外側容器３０の底面に接着引および引き剥がし可能に取り付けられているからである。また、衝撃吸収ゲル材４０が化粧品容器１０の外部にあらわれていないため、衝撃吸収ゲル材４０の劣化が防止できるからである。
また、同様の理由により、化粧品メーカー等の変更をする場合においても、外側容器３０から内側容器２０を取り外し、内側容器３０から衝撃吸収ゲル材４０を取り外せば、取り外した衝撃吸収ゲル材４０を新たな化粧品容器１０に使用することができる。
【００１７】
（第２実施形態）
次に、他の実施形態について説明する。図３は、本実施の形態における図２に相当する説明図である。
本実施の形態においては、衝撃吸収ゲル材４０を内側容器２０の外側面２０ａの全面に貼着したものである。本実施の形態における衝撃吸収ゲル材４０は、上側面が内側容器２０の外表面に密着する形状に、下側面が外側容器３０の内表面に密着する形状に形成されている。本実施の形態における衝撃吸収ゲル材４０は、底部の厚さは第１実施形態と同様であるが、側面の厚さ寸法は、化粧品容器１０に作用する衝撃から内側容器２０に充填されている化粧品材２２を保護することが可能な最小限の厚さに形成されている。
このように、内側容器２０と外側容器３０との嵌合部分における衝撃吸収ゲル材４０の厚さを最小限に抑えているため、外側容器３０の内部に内側容器２０が収まりきらないということがない。
【００１８】
本実施の形態における衝撃吸収ゲル材４０は、装着することができる化粧品容器１０は限定されてしまうものの、同じ強さの衝撃を化粧品容器１０に作用させた場合、第１実施形態における化粧品容器１０比べて、化粧品材２２に伝播する量が大幅に軽減させることができる。
本実施の形態における衝撃吸収ゲル材４０は、ほとんどすべての部分が化粧品容器１０の内側に配設されているので劣化が防止され、同じ化粧品容器１０であれば、第１実施形態と同様に、繰り返し使用することができる。
【００１９】
以上に、本願発明にかかる化粧品容器１０について説明してきたが、本願発明は以上に説明した実施形態に限定されるものではないのはもちろんである。
例えば、説明をした実施形態においては、化粧品容器１０の平面形状が矩形をなしたものについて説明しているが、平面形状が円形である化粧品容器１０であっても本願発明を適用することはもちろん可能である。この場合、衝撃吸収ゲル材４０は外側容器３０の内底面全体を覆う大きさではなく、取り外しシロを設けるようにしておけばよい。
【００２０】
また、内側容器２０と外側容器３０と衝撃吸収ゲル材４０をそれぞれ透明な材料により形成すれば、内側容器２０に収容されている化粧品材２２を化粧品容器１０の蓋を開けることなく外部から視認することができる。また、外観上の美観を損なうことなく、スケルトンタイプの化粧品容器１０を提供することも可能になるため好適である。
【００２１】
このようにスケルトンタイプの化粧品容器１０にした場合、外側容器３０の内側に両面鏡（図示せず）を取り付けておけば、化粧品容器１０さえ取り出せば直ちに鏡を使用することができるため、化粧の状態のチェック等において非常に好都合である。両面鏡を外側容器３０に取り付ける位置は、内側容器２０の配設位置と重複しない位置にする。化粧用パフ（図示せず）が配設可能な化粧品容器１０の場合であれば、化粧用パフの配設位置に両面鏡を配設すれば、内側容器２０に収容されている化粧品材２２の視認を妨げることはない。また、外側容器３０と両面鏡との間には、透明材料からなる衝撃吸収ゲル材４０を配設しておけば、両面鏡の破損を好適に防止することができるため好適である。
【００２２】
また以上の実施形態においては、化粧品材２２としてファンデーションを採用した形態について説明をしているが、化粧品材はファンデーションに限定されるものではなく、口紅やアイシャドウ等他の化粧品材であっても本願発明を適用することができるのはいうまでもない。要は、外側容器３０と化粧品材２２がセットされた内側容器２０の間に粘着性を有する衝撃吸収ゲル材４０を配設した化粧品容器１０であれば、本願発明の技術的範囲に属するのである。
【図面の簡単な説明】
【００２３】
【図１】第１実施形態における化粧品用容器の一例を示す説明図である。
【図２】図１中のＡ−Ａ線における断面図である。
【図３】第２実施形態における図２に相当する説明図である。
【図４】従来技術における衝撃吸収容器を示す説明図である。
【符号の説明】
【００２４】
１０  化粧品容器
２０  内側容器
２２  化粧品材
３０  外側容器
３２  外側容器内底面における一対の対向縁
３３  取り外しシロ
４０  衝撃吸収ゲル材
５０  隙間部分
【図１】
2008013248.tif 000003
【図２】
2008013248.tif 000004
【図３】
2008013248.tif 000005
【図４】
2008013248.tif 000006